(57)【要約】【課題】スイッチバック出入口とトレイ給紙口とを１つの開口部で兼用する方式を採用しつつ、問題なく使用できる画像形成装置を提供する。【解決手段】画像形成装置は、第１開口部３１を有する筐体１と、第１開口部３１の外側に配置されたトレイ部５とを備える。画像形成装置は、用紙１０の一部を第１開口部３１から筐体１の外に排出した後で用紙１０の全体を筐体１内に取り込む第１動作モードと、第１開口部３１から用紙１０の供給を受けて筐体１内に取り込む第２動作モードとをとりうるように構成される。トレイ部５は、支持板部５ａと立ち上がり部５ｂとを備える。第１動作モードでは、立ち上がり部５ｂは、第１開口部３１から出てくる用紙１０を避けた第１位置に位置する。第２動作モードでは、立ち上がり部５ｂは、第１開口部３１を通じて筐体１内へ供給しようとする用紙１０の幅に対応する第２位置に位置する。【選択図】図３
2019038681.tif 000002
【特許請求の範囲】
【請求項１】
用紙の出入りのための第１開口部を有する筐体と、
前記筐体の内部に配置され、前記用紙の片面に画像を形成することができる画像形成部と、
前記第１開口部の外側に配置されたトレイ部とを備える画像形成装置であって、
前記画像形成装置は、前記画像形成部により一方の面に画像が形成された前記用紙の一部を前記第１開口部から前記筐体の外に排出した後で前記用紙の全体を前記筐体内に取り込み、前記用紙を前記画像形成部に送る第１動作モードと、
前記第１開口部から前記用紙の供給を受けて前記筐体内に取り込み、前記用紙を前記画像形成部に送給する第２動作モードとをとりうるように構成され、
前記トレイ部は、前記用紙を下から支持しうる支持板部と、前記用紙の幅方向の位置を規制するように前記支持板部から立ち上がっている立ち上がり部とを備え、
前記第１動作モードでは、前記立ち上がり部は、前記第１開口部から出てくる前記用紙を避けた第１位置に位置し、
前記第２動作モードでは、前記立ち上がり部は、前記第１開口部を通じて前記筐体内へ供給しようとする前記用紙の幅に対応する第２位置に位置する、画像形成装置。
【請求項２】
前記第２動作モードが選択されたときには、前記立ち上がり部が、前記第１開口部を出入りする用紙がとり得る最大幅に対応する位置へと移動する、請求項１に記載の画像形成装置。
【請求項３】
前記第２動作モードにおいて、用紙幅が選択されたときには、前記立ち上がり部が選択された用紙幅に対応する位置へと移動する、請求項１または２に記載の画像形成装置。
【請求項４】
前記筐体は、正面側と奥側とを有し、
前記第１開口部は、前記筐体の側方を向いて開口しており、
前記トレイ部は、前記正面側と前記奥側とを結ぶ方向が幅方向となるように配置されており、前記立ち上がり部は、前記トレイ部の前記用紙が出入りする位置より前記奥側にのみ配置されている、請求項１から３のいずれかに記載の画像形成装置。
【請求項５】
前記第１開口部の内側には、前記用紙を送るための送りローラと、前記筐体内での前記用紙の移動経路を切り替えるガイド部材とが配置されており、
前記立ち上がり部が前記第１位置から前記第２位置へ移動させられたときに、前記送りローラは前記用紙を前記筐体内に取り込む向きに回転を開始し、前記ガイド部材が前記第２動作モードに対応した姿勢に切り替わる、請求項１から４のいずれかに記載の画像形成装置。
【請求項６】
前記立ち上がり部は、前記奥側に向かって付勢されており、前記筐体は、前記立ち上がり部が前記第２位置にある状態で前記トレイ部を固定するロック部を備え、前記ガイド部材が前記第１動作モードに対応した姿勢に切り替わることによって前記ロック部による前記トレイ部の固定が解除される、請求項５に記載の画像形成装置。
【請求項７】
前記立ち上がり部の位置を検知するセンサを備え、前記立ち上がり部が前記第２位置にあると前記センサが検知したときには、前記第１動作モードへの切替えを制限する、請求項１から６のいずれかに記載の画像形成装置。
【請求項８】
前記立ち上がり部は、前記支持板部と一体的に形成されている、請求項１から７のいずれかに記載の画像形成装置。
【請求項９】
前記第１動作モードにおいては、前記支持板部は、前記第１開口部から出てくる前記用紙を避けた低い位置に位置付けられ、前記第２動作モードにおいては、前記支持板部は、前記第１開口部から供給される前記用紙を支持しうる高さに位置付けられる、請求項８に記載の画像形成装置。
【請求項１０】
前記トレイ部は、ユーザが手前側に引き出すための把持部を備え、前記把持部および前記筐体の一方に、用紙サイズの幅に対応して前記トレイ部を停止すべき位置の目印が設けられており、他方に前記目印と合わせるための基準となる形状が設けられている、請求項８または９に記載の画像形成装置。
【請求項１１】
前記トレイ部の前記支持板部の続きとして前記用紙を支持し得る延長部を備え、
前記立ち上がり部が前記第１位置から前記第２位置に至るように前記トレイ部が引き出されたときに、前記延長部は前記トレイ部から前記用紙の送り方向に突き出るように移動し、前記立ち上がり部が前記第２位置から前記第１位置に至るように前記トレイ部が押し込まれたときに、前記延長部は元の位置に戻る、請求項１から１０のいずれかに記載の画像形成装置。
【発明の詳細な説明】
【技術分野】
【０００１】
本発明は、画像形成装置に関するものである。
【背景技術】
【０００２】
画像形成装置において、用紙の両面に画像形成をすることが求められる場合がある。この場合、用紙の一方の面に画像形成をした状態で、排紙口から装置外に部分的に排出した用紙をスイッチバックして装置内に取り込み、さらに用紙を反転して、用紙の他方の面に画像形成するということが行なわれる。スイッチバックするための送りローラは途中で回転方向を反転させることができるので、用紙を送り出す動作と用紙を取り込む動作との両方を行なうことができる。
【０００３】
一方、画像形成装置において装置内のカセットなどに予め蓄えた用紙ではなく外部から給紙した用紙に対して画像形成を行なう場合がある。この給紙の機構を簡素化するために、上述のスイッチバックのための出入口を給紙に用いることが考えられる。これを実現するための構成が、特開２００７−７６７８２号公報（特許文献１）に記載されている。
【０００４】
給紙のためにトレイ上に置かれた用紙が残ったままの状態で、両面画像形成を行なおうとしたときには、スイッチバックするために部分的に装置外に排出された用紙が、トレイ上に置かれた用紙と接触するおそれがある。このような事態を避けるための構成が、特開２０１３−４００３１号公報（特許文献２）に記載されている。
【先行技術文献】
【特許文献】
【０００５】
【特許文献１】特開２００７−７６７８２号公報
【特許文献２】特開２０１３−４００３１号公報
【発明の概要】
【発明が解決しようとする課題】
【０００６】
トレイから給紙する方式で画像形成装置を使用するためには、用紙をトレイの中で幅方向の正しい位置に置くことが求められる。しかし、特許文献１に記載された構成では、用紙の幅方向の位置を規制する構造がないので、用紙の幅方向の位置が定まりにくく、その結果、用紙のセットが行ないにくい。
【０００７】
特許文献２に記載された構成では、用紙の幅方向の位置を規制するための規制板が用紙の両側を挟むように設けられている。この装置において、トレイの上方に読取装置（「ＩＲ」ともいう。）を配置した構成で用いる場合、トレイの奥側の規制板はトレイの手前側の規制板に隠れるので、用紙のセットがしにくい。
【０００８】
そこで、本発明は、用紙のスイッチバックを行なう出入口とトレイからの給紙口とを１つの開口部で兼用する方式を採用しつつ、用紙のスイッチバックを問題なく行なうことができ、なおかつ、トレイ給紙方式で使用する際に用紙のセットがしやすい画像形成装置を提供することを目的とする。
【課題を解決するための手段】
【０００９】
上記目的を達成するため、本発明に基づく画像形成装置は、用紙の出入りのための第１開口部を有する筐体と、上記筐体の内部に配置され、上記用紙の片面に画像を形成することができる画像形成部と、上記第１開口部の外側に配置されたトレイ部とを備える画像形成装置であって、上記画像形成装置は、上記画像形成部により一方の面に画像が形成された上記用紙の一部を上記第１開口部から上記筐体の外に排出した後で上記用紙の全体を上記筐体内に取り込み、上記用紙を上記画像形成部に送る第１動作モードと、上記第１開口部から上記用紙の供給を受けて上記筐体内に取り込み、上記用紙を上記画像形成部に送給する第２動作モードとをとりうるように構成され、上記トレイ部は、上記用紙を下から支持しうる支持板部と、上記用紙の幅方向の位置を規制するように上記支持板部から立ち上がっている立ち上がり部とを備える。上記第１動作モードでは、上記立ち上がり部は、上記第１開口部から出てくる上記用紙を避けた第１位置に位置する。上記第２動作モードでは、上記立ち上がり部は、上記第１開口部を通じて上記筐体内へ供給しようとする上記用紙の幅に対応する第２位置に位置する。
【発明の効果】
【００１０】
本発明によれば、第１開口部の外側に配置されたトレイ部の位置が、第１動作モードと第２動作モードとで適切に変更されるので、用紙のスイッチバックを行なう出入口とトレイからの給紙口とを１つの開口部で兼用する方式を採用しつつ、用紙のスイッチバックを問題なく行なうことができ、なおかつ、トレイ給紙方式で使用する際に用紙のセットがしやすい画像形成装置とすることができる。
【図面の簡単な説明】
【００１１】
【図１】本発明に基づく実施の形態１における画像形成装置の斜視図である。
【図２】本発明に基づく実施の形態１における画像形成装置の、片面のみに画像形成を行なうモードの動作説明図である。
【図３】本発明に基づく実施の形態１における画像形成装置の、第１動作モードの第１段階の動作説明図である。
【図４】本発明に基づく実施の形態１における画像形成装置の、第１動作モードの第２段階の動作説明図である。
【図５】本発明に基づく実施の形態１における画像形成装置の、第２動作モードの動作説明図である。
【図６】第１動作モードにおけるトレイ部の位置の説明図である。
【図７】第２動作モードにおけるトレイ部の位置の説明図である。
【図８】第１動作モードでトレイ部が低い位置に退避する例の説明図である。
【図９】トレイ部の平面図である。
【図１０】トレイ部の正面図である。
【図１１】トレイ部の側面図である。
【図１２】トレイ部が長穴に沿って移動する様子の説明図である。
【図１３】筐体に設けられた長穴の第１の変形例の正面図である。
【図１４】筐体に設けられた長穴の第２の変形例の正面図である。
【図１５】トレイ部の変形例の正面図である。
【図１６】本発明に基づく実施の形態２における画像形成装置に備わるトレイ部の動作の説明図である。
【図１７】立ち上がり部が第２位置にあるときのトレイ部およびロック部の様子の説明図である。
【図１８】トレイ部の先端側から見た様子の第１の説明図である。
【図１９】トレイ部の先端側から見た様子の第２の説明図である。
【図２０】ガイド部材の動きがロック部の解除に寄与する様子の説明図である。
【図２１】本発明に基づく実施の形態３における画像形成装置に備わるトレイ部の近傍の説明図である。
【図２２】本発明に基づく実施の形態４における画像形成装置に備わるトレイ部の近傍の説明図である。
【発明を実施するための形態】
【００１２】
（実施の形態１）
（構成）
図１〜図１１を参照して、本発明に基づく実施の形態１における画像形成装置について説明する。本実施の形態における画像形成装置１０１の外観を図１に示す。画像形成装置１０１は、筐体１と、操作部２と、読取装置３とを備える。読取装置３は、筐体１の上側に配置されている。筐体１の下部には用紙貯蔵部６として複数のカセットが配置されている。筐体１の下面には複数の車輪７が配置されている。筐体１は、第１開口部３１と第２開口部３２とを有する。第１開口部３１および第２開口部３２は側方８３を向いて開口している。第１開口部３１は、用紙の両面に画像形成を行なう際のスイッチバックを行なうための用紙の出入り口であり、なおかつ、外部から給紙して画像形成を行なうための用紙の取入れ口でもある。第２開口部３２は、画像形成が完了した用紙の出口である。第２開口部３２のすぐ外側には排紙トレイ２０が配置されている。ここでは、排紙トレイ２０は筐体１の一部を利用して形成された斜面となっているが、これはあくまで一例であり、排紙トレイ２０は他の形態によって実現されるものであってもよい。
【００１３】
画像形成装置１０１の内部の様子を模式的に図２に示す。筐体１の内部には画像形成部４と、用紙貯蔵部６とが配置されている。画像形成部４は転写部４ａを含む。用紙貯蔵部６には複数の用紙１０が貯蔵されている。第１開口部３１および第２開口部３２の近傍にはガイド部材８が配置されている。ガイド部材８は回動可能に設置されており、少なくとも２通りの姿勢をとりうる。筐体１の内部には、用紙貯蔵部６から画像形成部４に用紙１０を送り込むための通路１１と、画像形成部４の転写部４ａを通過した用紙１０をガイド部材８近傍へと送り込むための通路１２と、ガイド部材８近傍から画像形成部４の上流側へと用紙１０を送り込むための通路１３とが設けられている。
【００１４】
本実施の形態における画像形成装置１０１は、用紙１０の出入りのための第１開口部３１を有する筐体１と、筐体１の内部に配置され、用紙１０の片面に画像を形成することができる画像形成部４と、第１開口部３１の外側に配置されたトレイ部５とを備える画像形成装置である。画像形成装置１０１は、画像形成部４により一方の面に画像が形成された用紙１０の一部を第１開口部３１から筐体１の外に排出した後で用紙１０の全体を筐体１内に取り込み、用紙１０を画像形成部４に送る第１動作モードと、第１開口部３１から用紙１０の供給を受けて筐体１内に取り込み、用紙１０を画像形成部４に送給する第２動作モードとをとりうるように構成されている。第１動作モードは、用紙１０の両面に画像形成をするモードである。第１動作モードのことを、たとえば両面印刷モードともいう。第２動作モードは、トレイ部５から給紙を行なうモードである。第２動作モードのことを、たとえばトレイ給紙モードともいう。
【００１５】
図１および図２に示すように、トレイ部５は、用紙１０を下から支持しうる支持板部５ａと、用紙１０の幅方向の位置を規制するように支持板部５ａから立ち上がっている立ち上がり部５ｂとを備える。第１動作モードでは、立ち上がり部５ｂは、第１開口部３１から出てくる用紙１０を避けた第１位置に位置する。第２動作モードでは、立ち上がり部５ｂは、第１開口部３１を通じて筐体１内へ供給しようとする用紙１０の幅に対応する第２位置に位置する。
【００１６】
図２では、第１動作モードおよび第２動作モードのいずれにも該当しないモードを表している。このモードは、用紙貯蔵部６にある用紙１０を用いて用紙１０の片面のみに画像形成を行なうモードである。ガイド部材８は通路１２と第２開口部３２とを連通させる姿勢となっている。用紙貯蔵部６から通路１１、転写部４ａおよび通路１２を通って上がってきた用紙１０は、第２開口部３２から排出される。排出された用紙１０は排紙トレイ２０に載る。
【００１７】
第１動作モードでは、図３に示すようになる。ガイド部材８は、通路１２と第１開口部３１とを連通させる姿勢となっている。用紙貯蔵部６から取り出されて通路１１を上がった用紙１０は画像形成部４の転写部４ａを通過する際に一方の面に画像形成を施される。このとき画像形成された面を「第１面」とする。第１面と逆の面を「第２面」とする。さらにこの用紙１０は通路１２を通って上昇し、第１開口部３１から外に出る。第１開口部３１に配置された送りローラ３１ｒは用紙１０を外に出す向きに回転する。ただし、用紙１０の全体が出てしまうわけではなく、あくまで用紙１０の一部が出るのみである。この時点では、用紙１０の第１面のみに画像が形成されている。第１面は下方を向いている。この第１モードにおいては、トレイ部５の立ち上がり部５ｂは用紙１０を避けた第１位置（図６参照）に位置する。すなわち、立ち上がり部５ｂは、図３における紙面奥側に退避している。用紙１０の大部分が筐体１の外に出た時点で、ガイド部材８は図４に示すような姿勢に切り替わり、第１開口部３１に配置された送りローラ３１ｒは逆に用紙１０を取り込む向きに回転を開始する。こうして、図４に示すように用紙１０は通路１３へと取り込まれる。通路１３は下端で折返し、通路１１へと合流する。したがって、通路１１に導かれた際には用紙１０は表裏が反転している。通路１１を通過した用紙１０は、画像形成部４の転写部４ａを通過することによって第２面に画像形成される。その後、用紙１０は通路１２を通って第２開口部３２から筐体１の外に出る。筐体１の外に出た用紙１０は排紙トレイ２０に載る。この時点では、用紙１０の第１面および第２面の両方に画像が形成されている。
【００１８】
第２動作モードでは、図５に示すように、ガイド部材８は、通路１３と第１開口部３１とを連通させる姿勢となっている。立ち上がり部５ｂは、第１開口部３１を通じて筐体１内へ供給しようとする用紙１０の幅に対応する第２位置（図７参照）に位置する。用紙１０はトレイ部５の支持板部５ａに載った状態で供給され、第１開口部３１の送りローラ３１ｒは用紙１０を取り込む向きに回転する。用紙１０は第１開口部３１から取り込まれて通路１３へと入っていく。用紙１０はさらに通路１１を通って画像形成部４の転写部４ａを通過する。これにより用紙１０の一方の面に画像が形成される。用紙１０は通路１２を通って上昇し、第２開口部３２から排紙トレイ２０上へと排出される。
【００１９】
図６〜図８は、第１開口部３１近傍を第１開口部３１の正面から見た状態を示す。基本的には、第１動作モードでは、図６に示したように立ち上がり部５ｂが用紙１０を避ける第１位置にある。第２動作モードでは、立ち上がり部５ｂは、図７に示したように用紙１０の幅に対応する第２位置にある。図６、図７では、トレイ部５は左右方向に平行移動するのみで、支持板部５ａの高さは変化していないが、図８に示すように、第１動作モードでは、トレイ部５が低い位置に退避するようにしてもよい。図８では、立ち上がり部５ｂが用紙１０を避け、支持板部５ａも用紙１０を避けた状態となっている。
【００２０】
トレイ部５を単独で取り出したところを図９に示す。図９は平面図である。トレイ部５の正面図を図１０に示し、側面図を図１１に示す。トレイ部５は、支持板部５ｂの一方の端から延在する枝部５ｃと、枝部５ｃの先端に配置された係合部５ｄとを備える。ここでは、１つのトレイ部５に２つの枝部５ｃが備わっている例を示しているが、枝部５ｃの数は２以外であってもよい。トレイ部５は、筐体１に設けられた長穴に沿って移動することができる。このとき、係合部５ｄは長穴の奥に配置される。長穴の幅は枝部５ｃの上下方向の寸法よりやや大きいものとする。係合部５ｄの上下方向の寸法は、長穴の幅より大きくなっている。
【００２１】
（作用・効果）
本実施の形態では、第１開口部３１の外側に配置されたトレイ部５の位置が、第１動作モードと第２動作モードとで適切に変更されるので、用紙のスイッチバックを行なう出入口とトレイからの給紙口とを１つの開口部で兼用する方式を採用しつつ、用紙のスイッチバックを問題なく行なうことができ、なおかつ、トレイ給紙方式で使用する際に用紙のセットがしやすい画像形成装置とすることができる。
【００２２】
立ち上がり部５ｂは、支持板部５ａと一体的に形成されていることが好ましい。この構成を採用することにより、トレイ部５の部品点数を少なくすることができる。たとえばトレイ部５は、樹脂で一体成型されたものであってもよい。
【００２３】
第１動作モードにおいては、図８に示すように、支持板部５ａは、第１開口部３１から出てくる用紙１０を避けた低い位置に位置付けられ、第２動作モードにおいては、図７に示すように、支持板部５ａは、第１開口部３１から供給される用紙１０を支持しうる高さに位置付けられることが好ましい。すなわち、動作モードに応じて支持板部５ａが上下に移動することが好ましい。この構成を採用することにより、第１動作モードにおいて第１開口部３１から部分的に出てきた第１用紙１０がトレイ部５またはトレイ部５に置かれた他の用紙に接触する事態を、より確実に避けることができる。
【００２４】
本実施の形態における画像形成装置において、第２動作モードが選択されたときには、立ち上がり部５ｂが、第１開口部３１を出入りする用紙１０がとり得る最大幅に対応する位置へと移動する。この構成を採用することにより、ユーザはトレイ給紙方式での使用をスムーズに開始することができる。
【００２５】
第２動作モードにおいて、用紙幅が選択されたときには、立ち上がり部５ｂが選択された用紙幅に対応する位置へと移動することが好ましい。この構成を採用することにより、ユーザは用紙幅を選択した後で立ち上がり部５ｂの位置を手動で合わせる必要がなく、ユーザの作業負担を軽減することができる。
【００２６】
本実施の形態で示したように、筐体１は、正面側８１と奥側８２とを有し、第１開口部３１は、筐体１の側方８３を向いて開口しており、トレイ部５は、正面側８１と奥側８２とを結ぶ方向が幅方向となるように配置されており、立ち上がり部５ｂは、トレイ部５の用紙１０が出入りする位置より奥側８２にのみ配置されていることが好ましい。通常、ユーザは筐体１の正面側８１に立って作業をするので、この構成を採用することにより、ユーザはトレイ部５内の様子を目視しやすくなる。また、トレイ部５への用紙１０の設置およびトレイ部５からの用紙１０の回収を行ないやすくなる。
【００２７】
本実施の形態で示したように、第１開口部３１の内側には、用紙１０を送るための送りローラ３１ｒと、筐体１内での用紙１０の移動経路を切り替えるガイド部材８とが配置されており、立ち上がり部５ｂが前記第１位置から前記第２位置へ移動させられたときに、送りローラ３１ｒは用紙１０を筐体１内に取り込む向きに回転を開始し、ガイド部材８が前記第２動作モードに対応した姿勢に切り替わることが好ましい。この構成を採用することにより、ユーザがトレイ部５を移動させたときには自動的に動作モードも切り替わり、ユーザによる動作モード変更のための操作手数を減らすことができる。
【００２８】
（トレイ部が移動するための長穴）
実施の形態１の中で、トレイ部５には枝部５ｃおよび係合部５ｄが設けられている構成について既に説明したが、この枝部５ｃおよび係合部５ｄを受け入れる長穴のバリエーションについてさらに説明する。筐体１に設けられた長穴が水平方向にのみ延在するように配置されている場合には、トレイ部５は同じ高さを維持したまま平行移動することとなる。図１２に示すように、筐体１に、異なる高さの区間を含む折れ線状の長穴１７が設けられている場合には、トレイ部５は、高さを変化させつつ移動することができる。長穴１７に代えて、図１３に示すように曲線状の長穴１７ｉを採用してもよい。図１４に示すように斜めに延在する直線状の長穴１７ｊを採用してもよい。図１５に示すように、トレイ部５ｊが高さ方向の寸法が異なる枝部５ｃ１，５ｃ２を備える場合には、図１４に示す長穴１７ｊを利用して、トレイ部５は斜めに移動することができる。この場合、支持板部５ａは水平な姿勢を保って平行移動することができる。
【００２９】
（実施の形態２）
（構成）
図１６〜図２０を参照して、本発明に基づく実施の形態２における画像形成装置について説明する。本実施の形態における画像形成装置の基本的な構成は、実施の形態１で説明したものと共通するので、説明を繰り返さない。
【００３０】
本実施の形態における画像形成装置のトレイ部５近傍のみを取り出したところを図１６に示す。トレイ部５の支持板部５ａは、開口部５ｅを有する。トレイ部５の近傍にロック部１８が配置されている。ロック部１８は、ヘッド部１８ａと回動中心部１８ｂとレバー部１８ｃとを含む。図１６においては、立ち上がり部５ｂは、第１位置にある。図１６では、立ち上がり部５ｂが第２位置にあるときのトレイ部５全体の外形を二点鎖線で示している。トレイ部５が奥側８２に移動することで立ち上がり部５ｂは第１位置に至り、トレイ部５が正面側８１に移動することで立ち上がり部５ｂは第２位置に至る。トレイ部５は、ばねなどの公知技術により奥側８２に向かって付勢されている。立ち上がり部５ｂが第２位置にあるときのトレイ部５およびロック部１８の様子を図１７に示す。図１７では、ロック部１８のヘッド部１８ａが開口部５ｅに挿入された状態となっている。図１７では、トレイ部５が奥側８２に逃げないようにロックされている。ロック部１８は回動中心部１８ｂを中心に回動自在に支持されている。ロック部１８は、ばねなどの公知技術により矢印９２の向きに付勢されている。ヘッド部１８ａが開口部５ｅに挿入される際の様子を図１８〜図１９に示す。図１８〜図１９はトレイ部５の先端側から見た様子を示す。図１８に示すように、ヘッド部１８ａの下面は斜面となっている。トレイ部５が正面側８１に移動すると、支持板部５ａの端がヘッド部１８ａの斜面に当たり、ヘッド部１８ａを付勢力に抗して押し上げる。さらにヘッド部１８ａの下端は支持板部５ａの上面に乗り上げた状態となり、トレイ部５はさらに正面側８１に移動する。ヘッド部１８ａの下端が開口部５ｅの位置にさしかかると、ヘッド部１８ａは矢印９２の向きに与えられていた付勢力に従い、開口部５ｅの中へと入り込む。こうして、図１９に示す状態となる。この状態では、ロック部１８のヘッド１８ａが開口部５ｅの一方の端に引っ掛かっているので、奥側８２に向かって付勢されているトレイ部５は自由に奥側８２に移動することはできずこの位置で留まる。すなわち、ロック部１８によるロックがされた状態となる。
【００３１】
図２などでガイド部材８の動きについて説明したが、ガイド部材８の動きがロック部１８の解除に寄与する。本実施の形態における画像形成装置では、図２０に示すように、ガイド部材８は、突起部８ａと、回動中心部８ｃとを有する。矢印９７の向きにガイド部材８が回動することによって、突起部８ａがロック部１８のレバー部１８ｃを押圧する。すなわち、図３に示したように、第１動作モードが選択されてガイド部材８が通路１２と第１開口部３１とを連通させる姿勢となったときに突起部８ａがレバー部１８ｃを押圧する。レバー１８ｃが押圧されることによってロック部１８は回動中心部１８ｂを中心として矢印９８の向きに回動する。その結果、ヘッド部１８ａは開口部５ｅから抜けるので、トレイ部５は奥側８２に向けて与えられていた付勢力に従って、奥側８２に移動する。こうして、立ち上がり部５ｂは第１位置に至る。すなわち、第１動作モードが選択されたときに、ロック部１８によるロックが解除され、付勢力によって立ち上がり部５ｂは第１位置に至るということになる。
【００３２】
ここまでで説明した事項を整理すると、以下のようになる。本実施の形態では、立ち上がり部５ｂは、奥側８２に向かって付勢されている。筐体１は、立ち上がり部５ｂが前記第２位置にある状態でトレイ部５を固定するロック部１８を備える。ガイド部材８が前記第１動作モードに対応した姿勢に切り替わることによってロック部１８によるトレイ部５の固定が解除される。
【００３３】
（作用・効果）
本実施の形態では、第１動作モードとなったときに、ロック部１８によるロックが解除され、付勢力によって立ち上がり部５ｂは第１位置に至る仕組みを簡単な構造で実現することができる。第１動作モードが選択されたときに、ユーザは、トレイ部５の位置を修正する作業を行なわなくてよいので、ユーザの作業負担が軽減される。
【００３４】
なお、これまでの実施の形態で説明した画像形成装置において、立ち上がり部５ｂの位置を検知するセンサを備え、立ち上がり部５ｂが前記第２位置にあると前記センサが検知したときには、前記第１動作モードへの切替えを制限することが好ましい。このような構成としておけば、第１動作モードを選択したにもかかわらず何らかの事情によりトレイ部５が正しく移動せずに立ち上がり部５ｂが第２位置に残ったままとなっているときには、センサでその事実を検知して第１動作モードへの切替えを制限することができるので、第１動作モードにおいて第１開口部３１から出る用紙１０がトレイ部５に引っ掛かる事態をより確実に回避することができる。なお、第１動作モードへの切替えの制限としては、たとえばユーザに警告を発して確認を求めるということが考えられる。
【００３５】
トレイ部５の移動が自動で行なわれる構成ではなく、ユーザがトレイ部５を手動で移動させる構成である場合には、このようなセンサを設けておくことにより、トレイ部５の移動し忘れを防ぐことができる。
【００３６】
（実施の形態３）
（構成）
図２１を参照して、本発明に基づく実施の形態３における画像形成装置について説明する。本実施の形態における画像形成装置の基本的な構成は、実施の形態１で説明したものと共通するので、説明を繰り返さない。
【００３７】
本実施の形態における画像形成装置は、トレイ部５ｋを備える。トレイ部５ｋの近傍を図２１に示す。トレイ部５ｋは、ユーザが手前側に引き出すための把持部５ｆを備える。ここでいう「手前側」とは、正面側８１である。把持部５ｆおよび筐体１の一方に、用紙サイズの幅に対応してトレイ部５ｋを停止すべき位置の目印１６が設けられており、他方に前記目印と合わせるための基準となる形状１９が設けられている。
【００３８】
筐体１の一部に複数の目印１６が形成されている。この例では、トレイ部５ｋは矢印９３で示される方向に移動する。複数の目印１６は、矢印９３で示される方向に並んでいる。
【００３９】
ここで示した例では、目印１６は筐体１の表面に書かれた縦線であるが、これはあくまで一例であって、これ以外の形態の目印であってもよい。ここで示した例では、形状１９は鋭角の突起であるが、これはあくまで一例であって、これ以外の形態であってもよい。本実施の形態では、筐体１の方に目印１６があり、把持部５ｆに基準となる形状１９が設けられているものとして示したが、これらの配置は逆であってもよい。
【００４０】
（作用・効果）
本実施の形態では、トレイ部５ｋが把持部５ｆを備えるので、ユーザがトレイ部５ｋの移動を行ないやすい。手動でトレイ部５ｋを移動させる構成とすれば、構造を単純にすることができ、その結果、コストダウンを図ることができる。本実施の形態では、目印１６と基準となる形状１９との組合せを目視で確認することができるので、ユーザは状況を確認しやすく、トレイ部５ｋの位置の設定間違いを起こりにくくすることができる。
【００４１】
（実施の形態４）
（構成）
図２２を参照して、本発明に基づく実施の形態４における画像形成装置について説明する。本実施の形態における画像形成装置の基本的な構成は、実施の形態１で説明したものと共通するので、説明を繰り返さない。
【００４２】
図２２に示すように、本実施の形態における画像形成装置では、トレイ部５の支持板部５ａの続きとして用紙１０を支持し得る延長部１５を備える。立ち上がり部５ｂが前記第１位置から前記第２位置に至るようにトレイ部５が引き出されたときに、延長部１５はトレイ部５から用紙１０の送り方向に突き出るように移動する。すなわち、トレイ部５が正面側８１に移動するとき、延長部１５は矢印９６の向きに移動する。立ち上がり部５ｂが前記第２位置から前記第１位置に至るようにトレイ部５が押し込まれたときに、延長部１５は元の位置に戻る。図２２では、延長部１５が突き出た状態を示しており、図２２における二点鎖線は、延長部１５の本体部１５ｄが支持板部５ａの下に隠れるように引っ込んだ状態を示している。
【００４３】
延長部１５は、回転軸１５ａと、回転軸１５ｂと、アーム１５ｃと、本体部１５ｄとを備える。アーム１５ｃは回転軸１５ｂを中心に回動自在に支持されている。本体部１５ｄとアーム１５ｃとは回転軸１５ａを介して回動自在に接続されている。トレイ部５は、正面側８１と奥側８２との間で移動する際に、同じ高さで水平方向に移動するだけでなく、同時に上下方向、すなわち、図２２における紙面奥手前方向にも移動してもよい。
【００４４】
（作用・効果）
本実施の形態では、立ち上がり部５ｂが第２位置に配置されたときには、トレイ部５の支持板部５ａから延長部１５が突き出ることにより、実質的に用紙１０を支持する板状部分の長さが長くなるので、用紙１０を安定して支持することができる。
【００４５】
また、延長部１５が突き出ることにより用紙１０を支持する部分の長さを十分に確保することが容易となるので、支持板部５ａの用紙送り方向の寸法を小さくすることができる。このようにすることで、延長部１５が引っ込んでいる状態では、トレイ部５および延長部１５の全体をコンパクトにすることができるので、トレイ部５より下側の排紙トレイ２０が覆い隠される度合が減る。その結果、ユーザは排紙トレイ２０の状況を視認しやすくなる。ユーザにとっては、排紙トレイ２０に置かれた用紙１０の取出しが容易となる。
【００４６】
なお、上記実施の形態のうち複数を適宜組み合わせて採用してもよい。
なお、今回開示した上記実施の形態はすべての点で例示であって制限的なものではない。本発明の範囲は特許請求の範囲によって示され、特許請求の範囲と均等の意味および範囲内でのすべての変更を含むものである。
【符号の説明】
【００４７】
１  筐体、２  操作部、３  読取装置、４  画像形成部、４ａ  転写部、５，５ｊ，５ｋ  トレイ部、５ａ  支持板部、５ｂ  立ち上がり部、５ｃ，５ｃ１，５ｃ２  枝部、５ｄ  係合部、５ｅ  開口部、５ｆ  把持部、６  用紙貯蔵部、７  車輪、８  ガイド部材、８ａ  突起部、８ｃ  回動中心部、１０  用紙、１１，１２，１３  通路、１５  延長部、１５ａ，１５ｂ  回転軸、１５ｃ  アーム、１５ｄ  （延長部の）本体、１６  目印、１７，１７ｉ，１７ｊ  長穴、１８  ロック部、１８ａ  ヘッド部、１８ｂ  回動中心部、１８ｃ  レバー部、１９  形状、２０  排紙トレイ、３１  第１開口部、３１ｒ  送りローラ、３２  第２開口部、８１  正面側、８２  奥側、８３  側方、９２，９３，９５，９６，９７，９８  矢印、１０１  画像形成装置。
【図１】
2019038681.tif 000003
【図２】
2019038681.tif 000004
【図３】
2019038681.tif 000005
【図４】
2019038681.tif 000006
【図５】
2019038681.tif 000007
【図６】
2019038681.tif 000008
【図７】
2019038681.tif 000009
【図８】
2019038681.tif 000010
【図９】
2019038681.tif 000011
【図１０】
2019038681.tif 000012
【図１１】
2019038681.tif 000013
【図１２】
2019038681.tif 000014
【図１３】
2019038681.tif 000015
【図１４】
2019038681.tif 000016
【図１５】
2019038681.tif 000017
【図１６】
2019038681.tif 000018
【図１７】
2019038681.tif 000019
【図１８】
2019038681.tif 000020
【図１９】
2019038681.tif 000021
【図２０】
2019038681.tif 000022
【図２１】
2019038681.tif 000023
【図２２】
2019038681.tif 000024